【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
集積回路であって、
第１のグローバル電圧ノードおよび第２のグローバル電圧ノードと、
前記第１のグローバル電圧ノードにそれぞれ結合された２つ以上の電力ドメインとを備え、前記２つ以上の電力ドメインはそれぞれ、
ローカル電圧ノードと、
前記第１のグローバル電圧ノードと、前記第１のグローバル電圧ノードに対応するローカル電圧ノードとの間に結合された１つ以上の減結合キャパシタと、
前記ローカル電圧ノードと前記第２のグローバル電圧ノードとの間に結合された第１のトランジスタと、
前記第１のグローバル電圧ノードと、前記第１のグローバル電圧ノードに対応するローカル電圧ノードとの間に結合された第２のトランジスタと、
ＥＳＤ（静電放電）事象の発生を検出するように構成されたＥＳＤ回路であって、前記ＥＳＤ事象を検出することに応じて前記第１のトランジスタおよび前記第２のトランジスタの各々の起動をもたらすようにさらに構成されているＥＳＤ回路とを含む、集積回路。
【請求項２】
前記電力ドメインはそれぞれ、前記第１のグローバル電圧ノードと、前記第１のグローバル電圧ノードに対応するローカル電圧ノードとの間に結合された機能ユニットを含み、前記電力ドメインのそれぞれの前記ＥＳＤ回路は、集積回路の電力制御ユニットから第１の指示を受信することに応じて前記第１のトランジスタを起動することによって、前記複数の電力ドメインのそれぞれの１つの電力ドメインの前記機能ユニットに電力を提供するようにさらに構成されている請求項１に記載の集積回路。
【請求項３】
ＥＳＤ事象がない状態で、前記第１のトランジスタは、前記電力制御ユニットから第２の指示を受信する前記ＥＳＤ回路に応じて未活動状態になるように構成されている請求項２に記載の集積回路。
【請求項４】
記電力制御ユニットは、前記複数の電力ドメインのパワーオンおよびパワーオフを互いに独立して制御するようにさらに構成されており、前記複数の電力ドメインの特定の電力ドメインをパワーオンすることは、前記複数の電力ドメインの前記特定の電力ドメインの前記ＥＳＤ回路に前記第１の指示を提供することを含み、前記複数の電力ドメインの前記特定の電力ドメインから電力を取除くことは、前記複数の電力ドメインの前記特定の電力ドメインの前記ＥＳＤ回路に前記第２の指示を提供することを含む請求項２に記載の集積回路。
【請求項５】
前記ＥＳＤ回路は、
前記第１のグローバル電圧ノードと前記第２のグローバル電圧ノードとの間に直列に結合された抵抗器およびキャパシタを有するＲＣ（抵抗性−容量性）回路と、
前記抵抗器および前記キャパシタの接合部(junction)に結合された第１の入力を有する論理ゲートとを含む請求項２に記載の集積回路。
【請求項６】
前記論理ゲートは、前記電力制御ユニットから前記第１の指示を受信するために結合された第２の入力をさらに含む請求項５に記載の集積回路。
【請求項７】
前記第１のグローバル電圧ノードは電源ノードであり、前記第２のグローバル電圧ノードはリターンノードである請求項１に記載の集積回路。
【請求項８】
前記第１のグローバル電圧ノードはリターンノードであり、前記第２のグローバル電圧ノードは電源ノードである請求項１に記載の集積回路。
【請求項９】
ＥＳＤ（静電放電）回路がＥＳＤ事象を検出することであって、前記ＥＳＤ回路は、集積回路（ＩＣ）の複数の電力ドメインのうちの１つの電力ドメインに関連しており、前記複数の電力ドメインの各々は、複数のＥＳＤ回路の対応する１つのＥＳＤ回路に関連しており、且つ、第１のグローバル電圧ノードと第２のグローバル電圧ノードとの間に結合されている、ことと、
前記ＥＳＤ事象を検出することに応じて、前記第２のグローバル電圧ノードと、前記複数の電力ドメインの前記１つの電力ドメインのローカル電圧ノードとの間に放電経路を設けることであって、前記ＥＳＤ回路が、前記ローカル電圧ノードと前記第２のグローバル電圧ノードとの間に結合された２つ以上のトランジスタの各々を起動することと、を含む方法。
【請求項１０】
電力制御ユニットから第１の指示を受信することに応じて、前記ＥＳＤ回路が、前記ローカル電圧ノードと前記第２のグローバル電圧ノードとの間に結合された前記２つ以上のトランジスタを起動することをさらに含む請求項９に記載の方法。
【請求項１１】
前記電力制御ユニットが、前記複数の電力ドメインの特定の電力ドメインを互いに独立してパワーオンすることと、前記電力制御ユニットが、前記複数の電力ドメインの前記特定の電力ドメインに第２の指示を提供することによって、独立して、前記複数の電力ドメインの特定の電力ドメインを互いに独立してパワーダウンすることと、をさらに含む請求項１０に記載の方法。
【請求項１２】
前記２つ以上のトランジスタを起動することは、グローバル供給電圧ノードをローカル供給電圧ノードに結合することを含み、前記第２のグローバル電圧ノードは前記グローバル供給電圧ノードであり、前記第１のグローバル電圧ノードはリターン電圧ノードである請求項９に記載の方法。
【請求項１３】
前記２つ以上のトランジスタを起動することは、グローバルリターン電圧ノードをローカルリターン電圧ノードに結合することを含み、前記第２のグローバル電圧ノードは前記グローバルリターン電圧ノードであり、前記第１のグローバル電圧ノードは供給電圧ノードである請求項９に記載の方法。
【請求項１４】
コンピュータシステム上で実行可能なプログラムによって作用されるデータ構造を記憶するコンピュータ可読記憶媒体であって、前記プログラムは、前記データ構造に作用して、前記データ構造によって記述される回路要素を含む集積回路を作製するプロセスの一部分を実施し、前記データ構造において記述される前記回路要素は、
第１のグローバル電圧ノードおよび第２のグローバル電圧ノードを含む集積回路（ＩＣ）と、
前記第１のグローバル電圧ノードにそれぞれ結合された２つ以上の電力ドメインとを有し、前記２つ以上の電力ドメインはそれぞれ、
ローカル電圧ノードと、
前記ローカル電圧ノードと前記第２のグローバル電圧ノードとの間にそれぞれ結合された２つ以上のトランジスタと、
ＥＳＤ（静電放電）事象の発生を検出するように構成されたＥＳＤ回路であって、前記ＥＳＤ事象を検出することに応じて、または、電力制御ユニットから対応する指示を受信することに応じて、前記２つ以上のトランジスタの起動をもたらすようにさらに構成されているＥＳＤ回路とを含む、コンピュータ可読記憶媒体。
【請求項１５】
前記データ構造において記述される前記ＥＳＤ回路は、前記集積回路の電力制御ユニットから第１の指示を受信することに応じて前記トランジスタを起動することによって、前記複数の電力ドメインのそれぞれの１つの電力ドメインの機能ユニットに電力を提供するようにさらに構成されており、前記電力ドメインのそれぞれの前記機能ユニットは、前記第１のグローバル電圧ノードと、前記第１のグローバル電圧ノードに対応するローカル電圧ノードとの間に結合されている、請求項１４に記載のコンピュータ可読記憶媒体。
【請求項１６】
前記データ構造において記述される前記電力制御ユニットは、前記複数の電力ドメインのそれぞれを互いに独立にパワーオンするようにさらに構成されており、前記複数の電力ドメインの特定の電力ドメインをパワーオンすることは、前記複数の電力ドメインの前記特定の電力ドメインの前記ＥＳＤ回路に前記第１の指示を提供することを含み、前記複数の電力ドメインの前記特定の電力ドメインから電力を取除くことは、前記複数の電力ドメインの前記特定の電力ドメインの前記ＥＳＤ回路に前記第２の指示を提供することを含む、請求項１５に記載のコンピュータ可読記憶媒体。
【請求項１７】
前記データ構造は、以下のタイプのデータ、すなわち、
ＨＤＬ（高レベル設計言語）データ、
ＲＴＬ（レジスタ転送レベル）データ、
グラフィックデータシステム（ＧＤＳ）ＩＩデータ
のうち１つ以上を含む、請求項１４に記載のコンピュータ可読記憶媒体。